(57)【要約】      （修正有）【課題】折りたたみ及び組み立てが容易でハンドリング性に優れ、リターナブルで運送コスト低減となり、コンテナーに効率よく充填でき、更に段積み可能で、積み重ねた場合揺れが少なくテンポラリーな簡易ラック倉庫になるパレットの提供。【解決手段】スチールパレットが、パレットフレームに接合したボスを有するパレット脚部（Ａ）と、ボスに差し込む下部にスライドピンを有する支柱（Ｂ）とからなり、該パレット脚部（Ａ）が、パレットフレームの側面に沿って折りたたみ可能な方向にパレットフレームの４隅に接合され、該パレット脚部（Ａ）が、スカート部と、ボス部と、ピン孔と、切込み部とを具備し、かつ該支柱（Ｂ）が、回転ピン用溝を有するスライドピン部と、台部と、延長パイプ部と、上部と、頭部とを具備したことを、特徴とする折りたたみ式スチールパレット。【選択図】図１
0003126404.tif 000002
【実用新案登録請求の範囲】
【請求項１】
パレットフレームの４隅に支柱を有する折りたたみ可能なスチールパレットにおいて、
（１）スチールパレットが、パレットフレームに接合したボスを有するパレット脚部（Ａ）と、ボスに差し込む下部にスライドピンを有する支柱（Ｂ）とからなり、
（２）該パレット脚部（Ａ）が、パレットフレームの側面に沿って折りたたみ可能な方向にパレットフレームの４隅に接合され、
（３）該パレット脚部（Ａ）が、スカート部（Ａ１）と、スライドピンを差し込めるボス部（Ａ２）と、回転ピンを差し込めるピン孔（Ａ３）と、支柱折りたたみ用切込み部（Ａ４）とを具備し、かつ
（４）該支柱（Ｂ）が、回転ピン用溝（Ｂ１）を有するボスに差し込めるスライドピン部（Ｂ２）と、該スライドピン部の上部に位置する台部（Ｂ３）と、該台部に接合した延長パイプ部（Ｂ４）と、延長パイプ部に差し込める寸法の台部の上部に位置する上部（Ｂ５）と、延長パイプ部の頂部を覆いパレット脚部のスカート部（Ａ１）と噛み合う頭部（Ｂ６）とを具備したことを、特徴とする折りたたみ式スチールパレット。
【請求項２】
（５）パレット脚部のボス部（Ａ２）および支柱のスライドピン部（Ｂ２）の材質がステンレス鋼であり、
（６）パレット脚部のボス部（Ａ２）と支柱のスライドピン部（Ｂ２）とのすり合わせギャップがパレットの性能を確保するために必要な最少寸法であり、かつ
（７）パレット脚部のボス部（Ａ２）と支柱のスライドピン部（Ｂ２）とのすり合わせ面が精密な加工仕上げであること、を特徴とする請求項１記載の折りたたみ式スチールパレット。
【考案の詳細な説明】
【技術分野】
【０００１】  本考案は、貨物の積載・運搬のための折りたたみ可能な金属製パレットの改良に関する。
【背景技術】
【０００２】  近年、折たたみ式パレットは、めざましい進歩をとげている。
自動車部品などの金属製品を入れて運搬するコンテナーの従来品は、箱状に丈夫に作られているため、不使用時に折りたためず、嵩張って送り返すにも倉庫にしまうにも不便という大きな欠点があった。これを改良したコンテナーとして、例えば実案文献１がある。この技術により折りたためてコンパクトになるように改良した金属製コンテナーが提案されている。【０００３】  また輸送完了後は折りたたんで返送し、リターナブルに使用する二段折りたたみ枠パレットに関するものとして、例えば実案文献２がある。しかしながら、必ずしも充分でなく、そのような要望に充分応じられるものが必要とされていた。
【実案文献１】
実開平２−５６１３３
【実案文献２】
実開平３−８４７３３
【考案の開示】
【考案が解決しようとする課題】
【０００４】  解決しようとする問題点は、支柱を平パレット上に容易に折りたたんで収納可能でかつ組み立てが容易でハンドリング性に優れ、リターナブルで運送コスト低減となり、コンテナーに効率よく充填でき、これに加えて４〜５段までも積み重ね可能で、積み重ねた場合揺れが少なく安定していてテンポラリーな簡易ラック倉庫にもなるパレットの開発であったが、本考案によりこの課題を解決した。
【課題を解決するための手段】
【０００５】本考案は、
パレットフレームの４隅に支柱を有する折りたたみ可能なスチールパレットにおいて、
（１）スチールパレットが、パレットフレームに接合したボスを有するパレット脚部（Ａ）と、ボスに差し込む下部にスライドピンを有する支柱（Ｂ）とからなり、
（２）該パレット脚部（Ａ）が、パレットフレームの側面に沿って折りたたみ可能な方向にパレットフレームの４隅に接合され、
（３）該パレット脚部（Ａ）が、スカート部（Ａ１）と、スライドピンを差し込めるボス部（Ａ２）と、回転ピンを差し込めるピン孔（Ａ３）と、支柱折りたたみ用切込み部（Ａ４）とを具備し、かつ
（４）該支柱（Ｂ）が、回転ピン用溝（Ｂ１）を有するボスに差し込めるスライドピン部（Ｂ２）と、該スライドピン部の上部に位置する台部（Ｂ３）と、該台部に接合した延長パイプ部（Ｂ４）と、該台部の上部に位置する延長パイプに差し込める寸法の上部（Ｂ５）と、延長パイプ部の頂部を覆いパレット脚部のスカート部（Ａ１）と噛み合う頭部（Ｂ６）とを具備したことを、特徴とする折りたたみ式スチールパレット。【０００６】および、上記（１）〜（４）の要件に、
（５）パレット脚部のボス部（Ａ２）と支柱のスライドピン部（Ｂ２）の材質がステンレス鋼であり、
（６）パレット脚部のボス部（Ａ２）と支柱のスライドピン部（Ｂ２）とのすり合わせギャップがパレットの性能を確保するために必要な最少寸法であり、かつ
（７）パレット脚部のボス部（Ａ２）と支柱のスライドピン部（Ｂ２）とのすり合わせ面が精密な加工仕上げであること、
を要件として加えることを特徴とする折りたたみ式スチールパレット。
を提供する。
【考案の効果】
【０００７】  本考案は、船舶輸送に適する梱包補助材として考案したものである。貨物を積載する時は、パレットフレームの４隅に接合したパレット脚部に支柱を立てて本考案のパレットを組み立て、パレット上に積載する貨物を積み上げ、支柱の内側に荷物を囲うようにパレット溝に沿って、ダンボールまたはプラスチック板などで荷崩れ防止の壁を設けることも、また必要に応じて天井をも取り付けることができ、荷受場所などで緊急の降雨に備えることをも考慮した折りたたみ式スチールパレットである。貨物を積載した本考案のパレットは、そのまま大型コンテナーに、隙間なく整列させて収納できる。コンテナー内には、支柱の高さを調整して、コンテナー積載制限容量内で効率よく、２段またはそれ以上段積みできる。パレット脚部のスカート部と支柱の頭部とは相互に正確に噛み合うようになっており、パレット支柱の強度を保たせるとともに、コンテナー内の貨物の横ぶれを止め、安全な輸送が確保できる。一方、貨物を受け取った荷主は、本考案のパレットをコンテナーから引き出し、所定の場所に移動するとともに、その場にそのまま保管することも、また工場組み立てラインのそばのテンポラリー簡易ラック倉庫としても使用でき、４〜５段の高積も可能である。使用後の空パレットは、ワンタッチで支柱を折りたたみ、コンテナーに戻して貨物積載元へと返却される。なお、本考案によるパレットは、過酷な輸送環境を考慮するとともに、使用される工場での使用頻度を勘案して、使用時の安全を十分満足するように要部の材料や加工に特に配慮されたパレットである。
【実施例】
【０００８】  本考案に係わる折りたたみ式スチールパレットの実施例を図面に基いて更に詳細に説明する。
本考案の折りたたみ式スチールパレットは、パレットフレーム（Ｃ）の側面に沿って折りたたみ可能な方向にパレットフレームの４隅に溶接により接合されたパレット脚部（Ａ）のボス部（Ａ２）に、スライドピンを有する支柱（Ｂ）を差し込み、回転ピンをピン孔（Ａ３）と回転ピン溝（Ｂ１）に差し込んで固定することによって、図１のように組み立てることができる。【０００９】  パレットフレーム（Ｃ）には、底板や鍔部が必要に応じて具備されており、必要に応じて底部または側面に支柱の内側に荷物を囲むようにパレット溝に沿ってダンボールまたはプラスチック板などで荷崩れ防止の壁を設けることもできる。また、必要に応じて降雨に備えて支柱の上に天井を取り付けることも可能である。【００１０】  本考案のパレット脚部（Ａ）は、図２（ａ）に示すように、スカート部（Ａ１）と、スライドピン部（Ｂ２）を差し込めるボス部（Ａ２）と、回転ピンを差し込めるピン孔（Ａ３）と、支柱折りたたみ用切込み部（Ａ４）を具備しており、スカート部（Ａ１）はパレットを安定して立てる機能と、パレットを段積みする際の支柱の受け皿としての機能を有する。ボス部（Ａ２）はスライドピンを差し込み支柱を立てる機能と、スライドさせて支柱を折りたたむための機能を有する。この部分の材質はスムースにスライドピンを差し込むため、よび強度の点からステンレス鋼であることが好ましい。またボスの内面は、スライドピンをスムースに差し込むためおよび支柱の横揺れを少なくするために精密加工仕上げであることが好ましい。ピン孔（Ａ３）は回転ピンを差し込むための孔である。切り込み部（Ａ４）はパレットの折りたたみ時に支柱を倒せるように入れる切り込みである。【００１１】  本発明の支柱（Ｂ）は、図２（ｂ）に示すように、回転ピン用溝（Ｂ１）を有するボスに差し込めるスライドピン部（Ｂ２）と、該スライドピン部の上部に位置する台部（Ｂ３）と、該台部に接合した延長パイプ部（Ｂ４）と、該台部の上部に位置する延長パイプ部に差し込める寸法の上部（Ｂ５）と、延長パイプ部の頂部を覆いパレット脚部のスカート部（Ａ１）と噛み合う頭部（Ｂ６）とを具備しており、回転ピン溝（Ｂ１）は、スライドピン部をボスに差し込んだ場合、スライドピンを上下に移動できるようにするための溝で、幅は約１０〜１５ｍｍ、長さは約５０〜６０ｍｍのサイズが好ましい。スライドピン部（Ｂ２）は直径２０〜３０ｍｍが好ましい。スムースにスライドさせるために材質はステンレス鋼であることが好ましく、スムースに差し込むために精密加工仕上げであることが好ましい。【００１２】  台部（Ｂ３）は延長パイプ部にかかる荷重を受けるための台部で、この表面積により重量を分散することができるので段積みに有効である。この材質はステンレス鋼であることが好ましい。スライドピン部（Ｂ２）と台部（Ｂ３）と上部（Ｂ５）とは、一体加工あるいは溶接により接合する。上部（Ｂ５）を延長パイプ部（Ｂ４）に差し込み、溶接により固着して、スライドピンと延長パイプを接続する。延長パイプ部（Ｂ４）の寸法は必要に応じて長短を適宜選択することができ、積み上げ高さの調節が可能である。また形状は、角パイプでも円筒パイプでも構わないが角パイプが好ま���い。頭部（Ｂ６）は延長パイプ部（Ｂ４）の頂部を覆う部分で、脚部のボスのスカート部（Ａ１）と噛み合う円錐状のものが好ましい。これにより段積みの際に点支え構造となり支柱が傾きにくくなる。【００１３】  本考案で、ボス部（Ａ２）とスライドピン部（Ｂ２）との擦り合せギャップは、パレットの性能を確保するために必要な最少寸法であり、好ましくは０．１ｍｍ以下のギャップである。これによりパレットの横揺れを防ぐことができる。【００１４】  図３は、パレット脚部（Ａ）のボス部（Ａ２）に、支柱（Ｂ）のスライドピン（Ｂ２）を差し込んで組み立てた本考案の支柱部分の断面図である。【００１５】  図４は、本考案のスチールパレットの支柱を倒して、折りたたんだ時の、パレットの部分斜視図である。Ｄは必要に応じ用いるパレット脚部（Ａ）をパレットフレーム（Ｃ）に強固に接合するための補強板である。
【図面の簡単な説明】
【００１６】
【図１】本考案の折りたたみ式スチールパレットの斜視図である。
【図２】本考案の折りたたみ式スチールパレットの構成部分の斜視図である。ａ）ボスを有するパレット脚部、ｂ）スライドピンを有する支柱、
【図３】図２の構成部分を組み合わせ本考案の支柱部分の断面図である。
【図４】本考案の折りたたみ式スチールパレットの折りたたんだ時の斜視図である。
【符号の説明】
【００１７】Ａ  ボスを有するパレット脚部
Ａ１  スカート部
Ａ２  ボス部
Ａ３  ピン孔
Ａ４  切込み部
Ｂ  スライドピンを有する支柱
Ｂ１  回転ピン用溝
Ｂ２  スライドピン部
Ｂ３  台部
Ｂ４  延長パイプ部
Ｂ５  上部
Ｂ６  頭部
Ｃ  パレットフレーム
Ｄ  補強板
【図１】
0003126404.tif 000003
【図２】
0003126404.tif 000004
【図３】
0003126404.tif 000005
【図４】
0003126404.tif 000006